(57)【要約】【課題】異なる条件下で撮影した心電図同期ＳＰＥＣＴの画像を比較して、それぞれの条件における心臓の状態の相違を検出する。【解決手段】心電図同期ＳＰＥＣＴの画像解析装置１００は、一の被験者の８枚のフェーズ画像を含む安静原画像を記憶する安静原画像記憶部１６１と、同じ被験者の８枚のフェーズ画像を含む負荷原画像を記憶する負荷原画像記憶部１６２と、各安静原画像及び各負荷原画像をそれぞれ標準化する標準化処理部１１０と、安静標準化画像と負荷標準化画像との対応するフェーズのフェーズ画像同士の差分画像を生成する差分画像生成部１３０と、差分画像の有意差検定を行う有意差検定部１４０とを有する。【選択図】図１
2010101811.tif 000002
【特許請求の範囲】
【請求項１】
一の被験者を、第１の条件下において、心電図に同期させ、かつ１周期をＮ分割して心臓を断層撮影したＮ枚の原フェーズ画像からなる第１原画像群、及び前記一の被験者を、第１の条件とは異なる第２の条件下において、心電図に同期させ、かつ１周期をＮ分割して心臓を断層撮影したＮ枚の原フェーズ画像からなる第２原画像群を記憶した記憶手段と、
前記第１原画像群の各原フェーズ画像をそれぞれ標準化したＮ枚の標準フェーズ画像を含む第１標準画像群と、前記第２原画像群の各原フェーズ画像をそれぞれ標準化したＮ枚の標準フェーズ画像を含む第２標準画像群と、を生成する標準化手段と、
前記第１標準画像群のＮ枚の標準フェーズ画像及び前記第２標準画像群のＮ枚の標準フェーズ画像の、互いに対応するフェーズの標準フェーズ画像同士を比較する比較手段と、を備える心電図同期画像処理装置。
【請求項２】
前記比較手段は、互いに対応するフェーズの標準フェーズ画像同士の差分をとり、Ｎ枚の差分画像を生成し、生成したＮ枚の差分画像に基づいて有意差検定を行うことを特徴とする請求項１記載の心電図同期画像処理装置。
【請求項３】
前記第１標準画像群のＮ枚の標準フェーズ画像と、前記第２標準画像群のＮ枚の標準フェーズ画像のカウント値のベースライン調整を行う調整手段を、さらに備え、
前記比較手段は、前記調整手段による調整後の標準フェーズ画像を用いて比較を行うことを特徴とする請求項１または２に記載の心電図同期画像処理装置。
【請求項４】
前記標準化手段は、前記第１原画像群の各原フェーズ画像、及び前記第２原画像群の各原フェーズ画像を、それぞれの画像中の心臓領域が所定の基準形状になるように標準化することを特徴とする請求項１〜３のいずれかに記載の心電図同期画像処理装置。
【請求項５】
前記標準化手段は、前記第１原画像群及び第２原画像群の各原フェーズ画像における、それぞれの心臓領域の位置合わせを行って、全原フェーズ画像を重ねた合成画像を生成し、生成した合成画像に基づいて、前記基準形状を設定することを特徴とする請求項４記載の心電図同期画像処理装置。
【請求項６】
前記基準形状は、前記第１原画像群の中の１枚の原フェーズ画像の心臓領域の形状であることを特徴とする請求項４記載の心電図同期画像処理装置。
【請求項７】
前記標準化手段は、各原フェーズ画像に基づいて、それぞれに対応するポーラーマップを生成し、生成されたポーラーマップを前記標準フェーズ画像とすることを特徴とする請求項１〜３のいずれかに記載の心電図同期画像処理装置。
【請求項８】
前記第１の条件は、前記被験者を安静にさせた安静状態であり、前記第２の条件は、前記被験者に負荷をかけた負荷状態であることを特徴とする請求項１〜７のいずれかに記載の心電図同期画像処理装置。
【請求項９】
前記第１画像群及び第２画像群は、心電図同期ＳＰＥＣＴ（Ｓｉｎｇｌｅ  Ｐｈｏｔｏｎ  Ｅｍｉｓｓｉｏｎ  Ｃｏｍｐｕｔｅｄ  Ｔｏｍｏｇｒａｐｈｙ）画像であることを特徴とする請求項１〜８のいずれかに記載の心電図同期画像処理装置。
【請求項１０】
コンピュータが、
一の被験者を、第１の条件下において心電図に同期させ、かつ１周期をＮ分割して心臓を断層撮影したＮ枚のフェーズ画像からなる第１原画像群、及び前記一の被験者を、第１の条件とは異なる第２の条件下において心電図に同期させ、かつ１周期をＮ分割して心臓を断層撮影したＮ枚のフェーズ画像からなる第２原画像群を、記憶手段に記憶するステップと、
前記第１原画像群の各フェーズ画像において、それぞれの画像中の心臓領域が基準形状になるように、前記各フェーズ画像をそれぞれ標準化したＮ枚の標準フェーズ画像を含む第１標準画像群を生成するステップと、
前記第２原画像群の各フェーズ画像において、それぞれの画像中の心臓領域が前記基準形状になるように、前記各フェーズ画像をそれぞれ標準化したＮ枚の標準フェーズ画像を含む第２標準画像群を生成するステップと、
前記第１標準画像群のＮ枚の標準フェーズ画像及び前記第２標準画像群のＮ枚の標準フェーズ画像の、互いに対応するフェーズの標準フェーズ画像同士を比較するステップと、を有する心電図同期画像の処理方法。
【請求項１１】
一の被験者を、第１の条件下において心電図に同期させ、かつ１周期をＮ分割して心臓を断層撮影したＮ枚の原フェーズ画像からなる第１原画像群、及び前記一の被験者を、第１の条件とは異なる第２の条件下において心電図に同期させ、かつ１周期をＮ分割して心臓を断層撮影したＮ枚の原フェーズ画像からなる第２原画像群を記憶した記憶手段と、
前記第１原画像群のＮ枚の原フェーズ画像及び前記第２原画像群のＮ枚の原フェーズ画像の、互いに対応するフェーズの原フェーズ画像同士の差分である、Ｎ枚の差分画像を生成する差分画像生成手段と、
前記Ｎ枚の差分画像をそれぞれ標準化したＮ枚の標準差分画像を生成する標準化手段と、
前記Ｎ枚の標準差分画像を比較する比較手段と、を備える心電図同期画像処理装置。
【請求項１２】
コンピュータが、
一の被験者を、第１の条件下において心電図に同期させ、かつ１周期をＮ分割して心臓を断層撮影したＮ枚のフェーズ画像からなる第１原画像群、及び前記一の被験者を、第１の条件とは異なる第２の条件下において心電図に同期させ、かつ１周期をＮ分割して心臓を断層撮影したＮ枚のフェーズ画像からなる第２原画像群を、記憶手段に記憶するステップと、
前記第１原画像群のＮ枚の原フェーズ画像及び前記第２原画像群のＮ枚の原フェーズ画像の、互いに対応するフェーズの原フェーズ画像同士の差分である、Ｎ枚の差分画像を生成するステップと、
前記Ｎ枚の差分画像をそれぞれ標準化したＮ枚の標準差分画像を生成するステップと、
前記Ｎ枚の標準差分画像を比較するステップと、を行う心電図同期画像の処理方法。
【請求項１３】
請求項１０または請求項１２に記載の方法をコンピュータに実行させるためのコンピュータプログラム。
【発明の詳細な説明】
【技術分野】
【０００１】
本発明は、心電図に同期させて撮影した心臓の断層画像を処理する技術に関し、特に、心電図同期ＳＰＥＣＴ法（Ｓｉｎｇｌｅ  Ｐｈｏｔｏｎ  Ｅｍｉｓｓｉｏｎ  Ｃｏｍｐｕｔｅｄ  Ｔｏｍｏｇｒａｐｈｙ）で撮像した画像を処理する技術に関する。
【背景技術】
【０００２】
非侵襲的に、心臓などの生体臓器の断層画像を撮影し、これを解析して医師の診断に役立てることが従来から行われている。この一つの手法として、心電図同期ＳＰＥＣＴ法（Ｓｉｎｇｌｅ  Ｐｈｏｔｏｎ  Ｅｍｉｓｓｉｏｎ  Ｃｏｍｐｕｔｅｄ  Ｔｏｍｏｇｒａｐｈｙ）が知られている。そして、心電図同期ＳＰＥＣＴ法により撮影した画像を処理する技術が、例えば特許文献１、２に記載されている。
【特許文献１】特開平８−１４７４７６号公報
【特許文献２】特開２００６−１５３８６７号公報
【発明の開示】
【発明が解決しようとする課題】
【０００３】
上記特許文献１，２に記載されているように、従来は、心電図同期ＳＰＥＣＴの画像解析は、心臓の運動の解析を目的とするものが多い。
【０００４】
ところで、心臓の検査においては、心臓に負荷がかかる状態を作り出し、安静時の状態を比較することによって、心臓に何らかの異常が発見されることがある。しかしながら、各フェーズで心臓の形状が異なるにもかかわらず、その異なる形状のまま解析が行われていた。
【０００５】
そこで、本発明の目的は、異なる条件下で撮影した心電図に同期させて断層撮影した心臓の画像を比較して、それぞれの条件における心臓の状態の相違を検出することである。
【課題を解決するための手段】
【０００６】
本発明の一つの実施態様に従う心電図同期画像処理装置は、一の被験者を、第１の条件下において、心電図に同期させ、かつ１周期をＮ分割して心臓を断層撮影したＮ枚の原フェーズ画像からなる第１原画像群、及び前記一の被験者を、第１の条件とは異なる第２の条件下において、心電図に同期させ、かつ１周期をＮ分割して心臓を断層撮影したＮ枚の原フェーズ画像からなる第２原画像群を記憶した記憶手段と、前記第１原画像群の各原フェーズ画像をそれぞれ標準化したＮ枚の標準フェーズ画像を含む第１標準画像群と、前記第２原画像群の各原フェーズ画像をそれぞれ標準化したＮ枚の標準フェーズ画像を含む第２標準画像群と、を生成する標準化手段と、前記第１標準画像群のＮ枚の標準フェーズ画像及び前記第２標準画像群のＮ枚の標準フェーズ画像の、互いに対応するフェーズの標準フェーズ画像同士を比較する比較手段と、を備える。
【０００７】
好適な実施形態では、前記比較手段は、互いに対応するフェーズの標準フェーズ画像同士の差分をとり、Ｎ枚の差分画像を生成し、生成したＮ枚の差分画像に基づいて有意差検定を行うようにしてもよい。
【０００８】
好適な実施形態では、前記第１標準画像群のＮ枚の標準フェーズ画像と、前記第２標準画像群のＮ枚の標準フェーズ画像のカウント値のベースライン調整を行う調整手段を、さらに備え、前記比較手段は、前記調整手段による調整後の標準フェーズ画像を用いて比較を行うようにしてもよい。
【０００９】
好適な実施形態では、前記標準化手段は、前記第１原画像群の各原フェーズ画像、及び前記第２原画像群の各原フェーズ画像を、それぞれの画像中の心臓領域が所定の基準形状になるように標準化してもよい。
【００１０】
好適な実施形態では、前記標準化手段は、前記第１原画像群及び第２原画像群の各原フェーズ画像における、それぞれの心臓領域の位置合わせを行って、全原フェーズ画像を重ねた合成画像を生成し、生成した合成画像に基づいて、前記基準形状を設定するようにしてもよい。
【００１１】
好適な実施形態では、前記基準形状は、前記第１原画像群の中の１枚の原フェーズ画像の心臓領域の形状であってもよい。
【００１２】
好適な実施形態では、前記標準化手段は、各原フェーズ画像に基づいて、それぞれに対応するポーラーマップを生成し、生成されたポーラーマップを前記標準フェーズ画像としてもよい。
【００１３】
好適な実施形態では、前記第１の条件は、前記被験者を安静にさせた安静状態であり、前記第２の条件は、前記被験者に負荷をかけた負荷状態であってもよい。
【００１４】
好適な実施形態では、前記第１画像群及び第２画像群は、心電図同期ＳＰＥＣＴ（Ｓｉｎｇｌｅ  Ｐｈｏｔｏｎ  Ｅｍｉｓｓｉｏｎ  Ｃｏｍｐｕｔｅｄ  Ｔｏｍｏｇｒａｐｈｙ）画像であってもよい。
【発明を実施するための最良の形態】
【００１５】
以下、本発明の一実施形態に係る心電図に同期した断層画像の解析システムについて、図面を用いて説明する。本実施形態では、心筋の血流及び機能の解析を行うための心電図同期ＳＰＥＣＴ法に基づいて撮影した画像の解析を行う心電図同期ＳＰＥＣＴの画像解析を例に説明するが、本発明は、これ以外にも、心電図に同期させたＰＥＴ（Ｐｏｓｉｔｏｒｏｎ  Ｅｍｉｓｓｉｏｎ  Ｃｏｍｐｕｔｅｄ  Ｔｏｍｏｇｒａｐｈｙ）、ＭＲＩ（Ｍａｇｎｅｔｉｃ  Ｒｅｓｏｎａｎｃｅ  Ｉｍａｇｉｎｇ）、ＣＴ（Ｃｏｍｐｕｔｅｄ  Ｔｏｍｏｇｒａｐｈｙ）、超音波による断層画像に対しても適用することができる。
【００１６】
まず、図１は、本発明の第１の実施形態にかかる心電図同期ＳＰＥＣＴの画像解析システムの全体構成図である。すなわち、本システムは、心電図同期ＳＰＥＣＴ法で被験者の心臓の断層画像を撮影する断層画像再構成システム１と、断層画像再構成システム１が撮影した時系列の画像データの解析を行う画像解析装置１００とを備える。
【００１７】
断層画像再構成システム１では、図示しないＳＰＥＣＴ撮像機器が６４方向から撮像した投影データに基づいて、対象物の断層像を再構成する。断層画像再構成システム１が再構成するＳＰＥＣＴ画像は、被験者の左心室の長軸垂直断層像（Vertical Long Axis；ＶＬＡ画像という）、長軸水平断層像（Horizontal
Long Axis；以下、ＨＬＡ画像という）及び短軸断層画像（Short Axis；以下、ＳＡ画像という）である。
【００１８】
断層画像再構成システム１は、心電図と同期させて、各フェーズ（位相）におけるＶＬＡ画像、ＨＬＡ画像及びＳＡ画像のフェーズ画像を撮影する、心電図同期ＳＰＥＣＴを行う。例えば、図２に示すように、心電図のＲ波同士の間隔（Ｒ−Ｒ間隔：心臓の運動の１周期）をＮ等分し、Ｒ−Ｒ間隔の１／Ｎのサンプリング周期で各フェーズ画像（図３にはＳＡ画像のフェーズ画像のみを示す）を撮影する。図２は、あるフェーズ（Ｔ＝Ｔ１）における状態を示す。この撮影は、少なくとも１周期以上の間継続して行われる。断層画像再構成システム１は、同一部位について、複数の周期に渡り、同一フェーズの画像を重ね合わせて、Ｎ枚のフェーズ画像を生成する。なお、図２ではＮ＝８の例を示したが、Ｎは任意であって、例えば、１６，２０，３２などでもよい。
【００１９】
以下の実施形態では、画像解析システム１０がＳＡ画像の解析を行う場合を例にとって説明するが、画像解析システム１０は、ＶＬＡ画像及びＨＬＡ画像の解析を行うこともできる。
【００２０】
図３は、ＳＡ画像の説明図である。ここでは主に心臓の左心室２００のＳＡ画像を例にとって説明する。同図に示すように、心基部２１０と心尖部２２０とを結ぶ直線に対して垂直な断面の画像がＳＡ画像２４０である。心臓の運動の１周期における所定のフェーズにおいて、複数のフェーズ画像２４０が得られる。この各フェーズ画像２４０間の距離は、予め定められているスライス間隔ｄである。従って、各フェーズにおいて再構成されるフェーズ画像の枚数（スライス枚数）は、患者により異なる。以後の処理の便宜のため、このスライス枚数は後述するように所定の枚数に規格化される。なお、断層画像再構成システム１が、スライス間隔ｄを可変として、所定のスライス枚数だけフェーズ画像を撮影する場合、規格化は不要となる。
【００２１】
また、本実施形態では、安静状態の被験者を撮影した心電図同期ＳＰＥＣＴの安静画像群と、所定の負荷がかけられている被験者を撮影した心電図同期ＳＰＥＣＴの負荷画像群とを用意する。つまり、安静画像群及び負荷画像群は、それぞれ、同一の箇所についてＮ枚のフェーズ画像から構成される。
【００２２】
以下の実施形態では、同一箇所のＳＡ画像であって、Ｎ＝８枚のフェーズ画像を用いて説明する。また、後述する標準化された標準フェーズ画像、ないしは標準画像（安静標準画像、負荷標準画像）と明確に区別するため、断層画像再構成システム１から得られた、標準化されていないフェーズ画像を原フェーズ画像、ないしは原画像（安静原画像、負荷原画像）と呼ぶ。
【００２３】
改めて図１を参照する。画像解析装置１００は、例えばプロセッサ及びメモリなどを備えるコンピュータシステムにより構成され、以下に説明する画像解析装置１００内の個々の構成要素または機能は、例えば、コンピュータプログラムを実行することにより実現される。
【００２４】
画像解析装置１００は、標準化処理部１１０と、ベースライン調整部１２０と、差分画像生成部１３０と、有意差検定部１４０と、出力処理部１５０とを備える。画像解析装置１００には、表示装置２及び印刷装置３が接続されている。また、画像解析装置１００は、画像データの記憶部として、安静原画像記憶部１６１と、負荷原画像記憶部１６２と、安静標準画像記憶部１７１と、負荷標準画像記憶部１７２とを有する。
【００２５】
安静原画像記憶部１６１には、被験者を安静状態にして撮影した８枚の原フェーズ画像である安静原画像ＲＯ１〜ＲＯ８（安静原画像群）が格納される。
【００２６】
負荷原画像記憶部１６２には、被験者を負荷状態にして撮影した８枚の原フェーズ画像である負荷原画像ＳＯ１〜ＳＯ８（負荷原画像群）が格納される。
【００２７】
安静標準画像記憶部１７１には、標準化処理部１１０によって安静原画像ＲＯ１〜ＲＯ８が標準化された標準フェーズ画像である安静標準画像ＲＳ１〜ＲＳ８（安静標準画像群）が格納される。
【００２８】
負荷標準画像記憶部１７２には、標準化処理部１１０によって負荷原画像ＳＯ１〜ＳＯ８が標準化された標準フェーズ画像である負荷標準画像ＳＳ１〜ＳＳ８（負荷標準画像群）が格納される。
【００２９】
標準化処理部１１０は、安静原画像記憶部１６１及び負荷原画像記憶部１６２に格納されている各原フェーズ画像の心臓領域の形状を標準化して、標準フェーズ画像を生成する。例えば、標準化処理部１１０は、各原画像の心臓領域の形状が所定の基準形状になるように、それぞれの原画像に対して画像処理を行う。ここで、基準形状は、例えば、安静原画像または負荷原画像のいずれか１枚の原画像の心臓領域の形状としても良いし、図４に示す方法で定めても良い。
【００３０】
図４は、心臓領域の基準形状の定め方の一例を示す。すなわち、標準化処理部１１０は、安静原画像ＲＯである８枚のフェーズ画像（ＲＯ１〜ＲＯ８）と、負荷原画像ＳＯである同じく８枚のフェーズ画像（ＳＯ１〜ＳＯ８）のすべてを足し合わせて、合成画像Ｇを生成する。すなわち、標準化処理部１１０は、全１６枚のフェーズ画像（ＲＯ１〜ＲＯ８、ＳＯ１〜ＳＯ８）のそれぞれ対応する画素の値（カウント値）を足し合わせて、１枚の合成画像Ｇを得る。合成画像Ｇの各画素値を足し合わせた画像の枚数で割って、平均画像としても良い。標準化処理部１１０は、この合成画像Ｇまたは平均画像に基づいて、基準形状を定める。例えば、標準化処理部１１０は、この合成画像Ｇまたは平均画像の画素値が所定の閾値以上の領域を抽出して、基準形状としても良い。
【００３１】
標準化処理部１１０は、別の手法によって標準化してもよい。例えば、標準化処理部１１０は、各原画像ＲＯ１〜ＲＯ８、ＳＯ１〜ＳＯ８をすべてポーラーマップ形式に変換することによって、標準化しても良い。つまり、標準化処理部１１０は、安静原画像ＲＯ１〜ＲＯ８及び負荷原画像ＳＯ１〜ＳＯ８のそれぞれに対応するポーラーマップを生成する。ここで生成された各ポーラーマップが、それぞれ対応する安静標準画像ＲＳ１〜ＲＳ８及び負荷標準画像ＳＳ１〜ＳＳ８となる。この場合、以降の処理はすべてポーラーマップ形式で行われる。
【００３２】
ここからは、図１とともに図５も参照しながら説明する。
【００３３】
標準化処理部１１０は、安静原画像記憶部１６１に格納されている安静原画像ＲＯ１〜ＲＯ８を標準化した安静標準画像ＲＳ１〜ＲＳ８を安静標準画像記憶部１７１に格納し、負荷原画像記憶部１６２に格納されている負荷原画像ＳＯ１〜ＳＯ８を標準化した負荷標準画像ＳＳ１〜ＳＳ８を負荷標準画像記憶部１７２に格納する。
【００３４】
ベースライン調整部１２０は、安静標準画像記憶部１７１に格納されている安静標準画像ＲＳ１〜ＲＳ８、及び負荷標準画像記憶部１７２に格納されている負荷標準画像ＳＳ１〜ＳＳ８を正規化する。これは、安静原画像ＲＯ１〜ＲＯ８と負荷原画像ＳＯ１〜ＳＯ８の撮影条件は必ずしも同じではないので、それぞれの画素値のベースラインを合わせるものである。
【００３５】
ベースライン調整部１２０は、例えば、安静標準画像ＲＳ１〜ＲＳ８の合成画像及び負荷標準画像ＳＳ１〜ＳＳ８の合成画像の最大値が同じになるように、安静標準画像ＲＳ１〜ＲＳ８及び負荷標準画像ＳＳ１〜ＳＳ８のベースラインを調整したり、あるいは、安静標準画像ＲＳ１〜ＲＳ８及び負荷標準画像ＳＳ１〜ＳＳ８の同一フェーズのフェーズ画像の最大値が同じになるようにベースラインを調整したりしても良い。なお、ベースライン調整は、安静原画像記憶部１６１及び負荷原画像記憶部１６２に記憶されている、原画像に対して行っても良い。
【００３６】
差分画像生成部１３０及び有意差検定部１４０は、安静標準画像ＲＳ１〜ＲＳ８と負荷標準画像ＳＳ１〜ＳＳ８の互いに対応するフェーズのフェーズ画像同士を比較する比較手段として機能する。つまり、差分画像生成部１３０が差分画像Ｄ１〜Ｄ８を生成して、有意差検定部１４０が差分画像Ｄ１〜Ｄ８の有意差検定を行って、安静標準画像ＲＳ１〜ＲＳ８と負荷標準画像ＳＳ１〜ＳＳ８で差があるか否かを検証する。
【００３７】
差分画像生成部１３０は、互いに対応するフェーズの安静標準画像ＲＳ１〜ＲＳ８と負荷標準画像ＳＳ１〜ＳＳ８との差分画像Ｄ１〜Ｄ８を生成する。つまり、本実施形態では、安静標準画像ＲＳ１〜ＲＳ８及び負荷標準画像ＳＳ１〜ＳＳ８は、それぞれ８枚のフェーズ画像を有するので、８フェーズの差分画像Ｄ１〜Ｄ８が生成される。
【００３８】
有意差検定部１４０は、８枚の差分画像Ｄ１〜Ｄ８のそれぞれ対応する画素の値を用いて、有意差検定を行う。例えば、有意差検定部１４０はｔ検定を行って、その結果を示すｔマップを生成する。この有意差検定によって、差があると判定された画素に対応する心臓の領域が、特徴領域として抽出される。
【００３９】
出力処理部１５０は、有意差検定部１４０による判定結果を、表示装置２または印刷装置３に出力する。例えば、出力処理部１５０は、有意差検定部１４０が生成したｔマップを表示装置２または印刷装置３に出力する。
【００４０】
図６に示すフローチャートを用いて、画像解析装置１００の処理手順を説明する。
【００４１】
まず、断層画像再構成システム１によって生成された安静原画像ＲＯ１〜ＲＯ８，負荷原画像ＳＯ１〜ＳＯ８が、安静原画像記憶部１６１及び負荷原画像記憶部１６２に安静原画像ＲＯ１〜ＲＯ８，負荷原画像ＳＯ１〜ＳＯ８が格納される（Ｓ１０）。
【００４２】
次に、標準化処理部１１０が安静原画像ＲＯ１〜ＲＯ８及び負荷原画像ＳＯ１〜ＳＯ８をそれぞれ標準化して、安静標準画像ＲＳ１〜ＲＳ８及び負荷標準画像ＳＳ１〜ＳＳ８を生成する（Ｓ２０）。
【００４３】
ベースライン調整部１２０が安静標準画像ＲＳ１〜ＲＳ８及び負荷標準画像ＳＳ１〜ＳＳ８のベースライン調整を行って、画素値を正規化する（Ｓ３０）。
【００４４】
差分画像生成部１３０が、安静標準画像ＲＳ１〜ＲＳ８と負荷標準画像ＳＳ１〜ＳＳ８の差分画像Ｄ１〜Ｄ８を生成する（Ｓ４０）。
【００４５】
有意差検定部１４０は、差分画像Ｄ１〜Ｄ８の有意差検定を行って、安静標準画像ＲＳ１〜ＲＳ８と負荷標準画像ＳＳ１〜ＳＳ８との間に差があるか否かを検定する（Ｓ５０）。
【００４６】
出力処理部１５０は、有意差検定部１４０による検定結果を出力する（Ｓ６０）。
【００４７】
これにより、安静時と負荷時の心臓の状態の差異を検出することができる。特に、心電図同期ＳＰＥＣＴの各フェーズ画像を標準化することにより、全フェーズの画像を同じ基準で比較することができるので、心臓の状態検出をより正確に行うことができる。
【００４８】
図７は、本発明の第２の実施形態に係る心電図同期ＳＰＥＣＴの画像解析システムの全体構成図である。同図において、第１の実施形態と同じ構成要件には同一の符号を付している。
【００４９】
本実施形態の画像解析装置３００は、主に、第１の実施形態の画像解析装置１００と以下の点が相違する。すなわち、画像解析装置１００では、上述したように、原画像を標準画像に標準化した後、差分画像を生成している。これに対して、画像解析装置３００では、標準画像を生成する前に、まず原画像から直接、差分画像を生成し、この差分画像の心臓領域の形状を基準形状へ標準化する。
【００５０】
画像解析装置３００の構成要素は、図７に示す通りであり、主な処理の手順は以下の通りである。
【００５１】
（１）画像解析装置３００が、安静原画像ＲＯ１〜ＲＯ８及び負荷原画像ＳＯ１〜ＳＯ８を、それぞれ、安静原画像記憶部１６１，負荷原画像記憶部１６２に格納する。
【００５２】
（２）ベースライン調整部１２０が安静原画像ＲＯ１〜ＲＯ８及び負荷原画像ＳＯ１〜ＳＯ８のベースライン調整を行う。
【００５３】
（３）差分画像生成部１３０が、ベースライン調整された安静原画像ＲＯ１〜ＲＯ８及び負荷原画像ＳＯ１〜ＳＯ８の、同じフェーズ画像同士の８枚の差分画像を生成する。
【００５４】
（４）標準化処理部１１０は、各差分画像の心臓領域の形状を基準形状へ標準化する。
【００５５】
（５）有意差検定部１４０は、標準化された８枚の差分画像の有意差検定を行う。
【００５６】
（６）出力処理部１５０は、有意差検定の結果を出力する。
【００５７】
これにより、安静原画像と負荷原画像の対応するフェーズ同士を比較して差分画像を生成し、その後、差分画像において標準化を行った場合でも、第１の実施形態と同様の効果を得ることができる。
【００５８】
上述した本発明の実施形態は、本発明の説明のための例示であり、本発明の範囲をそれらの実施形態にのみ限定する趣旨ではない。当業者は、本発明の要旨を逸脱することなしに、他の様々な態様で本発明を実施することができる。
【図面の簡単な説明】
【００５９】
【図１】本発明の第１の実施形態にかかる心電図同期ＳＰＥＣＴの画像解析システムの全体構成図である。
【図２】心電図と画像を撮像するフェーズとの関係を示す図である。
【図３】心臓のＳＡ画像について説明する図である。
【図４】心臓領域の基準形状の定め方の一例を示す。
【図５】画像解析手順を示す説明図である。
【図６】画像解析装置１００の処理手順を示すフローチャートである。
【図７】本発明の第２の実施形態にかかる心電図同期ＳＰＥＣＴの画像解析システムの全体構成図である。
【符号の説明】
【００６０】
１      断層画像再構成システム
２           表示装置
３           印刷装置
１０       画像解析システム
１００、３００          画像解析装置
１１０    標準化処理部
１２０    ベースライン調整部
１３０    差分画像生成部
１４０    有意差検定部
１５０    出力処理部
１６１    安静原画像記憶部
１６２    負荷原画像記憶部
１７１    安静標準画像記憶部
１７２    負荷標準画像記憶部
【図１】
2010101811.tif 000003
【図２】
2010101811.tif 000004
【図３】
2010101811.tif 000005
【図４】
2010101811.tif 000006
【図５】
2010101811.tif 000007
【図６】
2010101811.tif 000008
【図７】
2010101811.tif 000009